(57)【要約】【課題】液晶表示装置及びこの駆動方法が開示されている。【解決手段】複数個に分割された各有効ディスプレイ領域に割り当てられた一番目ゲートラインから最後のゲートラインを全てターンオンさせた後、液晶が全て配列されるまで該当有効ディスプレイ領域の一部に光供給を中断させ、液晶が全て配列された後に光供給を開始する。このような過程を各有効ディスプレイ領域で反復することにより、ディスプレイされる動映像の広がりのようなディスプレイ不良を防止することができると共に、ワンフレーム内の光供給時間が大福向上されるようにして高輝度ディスプレイが可能するようにする効果を有する。【選択図】図１１
2005501291.tif 000002
【特許請求の範囲】
【請求項１】
ａ）ゲート電極、ソース電極及びドレーン電極を有する薄膜トランジスタ、前記ゲート電極に連結されたゲートライン及びソース電極に連結されたデータライン、前記ドレーン電極に形成された画素電極が形成されたＴＦＴ基板と、ｂ）前記ＴＦＴ基板と対向するように設置され共通電極が形成されたカラーフィルター基板、ｃ）前記ＴＦＴ基板及びカラーフィルター基板の間に介在される液晶を含む液晶表示パネル及びｄ）前記ゲートラインにゲート駆動信号、前記データラインにデータ駆動信号を印加する駆動印刷回路基板を含む液晶表示パネルアセンブリーであって、
i）前記ゲートラインのうち、あるゲートラインにゲート駆動信号が印加されるかを検知してインバータ制御信号を発生させるシグナル同調部、ii）前記インバータ制御信号の印加を受けてランプ駆動信号を発生させるインバータ、及びiii）前記インバータの前記ランプ駆動信号に対応して点灯／消灯されるように、前記液晶表示パネルの下部に少なくとも２つ以上が並列方式で配列されたランプで構成されたバックライトアセンブリーと、を含む液晶表示装置。
【請求項２】
前記シグナル同調部で発生された前記インバータ制御信号は、前記ゲートラインに前記ゲート駆動信号が印加された後、液晶が印加された電界の方向に配列される液晶配列時間の間にのみ前記ランプに電源が供給されないように前記ランプをオフ（ｏｆｆ）させるための制御信号であることを特徴とする請求項１記載の液晶表示装置。
【請求項３】
前記液晶配列時間は、前記液晶が配列を開始してから前記液晶の配列が終了されるまでかかる時間であることを特徴とする請求項２記載の液晶表示装置。
【請求項４】
前記液晶表示パネルに形成された複数個のゲートラインは、前記ランプの位置に対応して複数個のグループに分けられ、それぞれの前記グループに割り当てられたゲートラインが順次ターンオンされ、最後のゲートラインがターンオンされた後、液晶が配列される時間の間、前記グループに属するランプは前記インバータ制御信号により消灯されることを特徴とする請求項１記載の液晶表示装置。
【請求項５】
前記液晶配列時間以後、それぞれのグループの前記ランプはワンフレームの間にずっと点灯されることを特徴とする請求項４記載の液晶表示装置。
【請求項６】
i）複数個の領域に分けられた液晶表示パネルの第１の領域に含まれた液晶に電界を印加して液晶を配列させる段階と、
ii）前記第１領域に位置した液晶が配列されることに必要な液晶配列時間の間に前記液晶に供給される光を制限する段階と、
iii）前記第１領域に位置した前記液晶が配列されることに必要な液晶配列時間以後に前記液晶に光の供給を行う段階と、
iv）前記液晶表示パネルの残りの領域に対して、前記ii）、前記iii）の段階を反復して行う段階と、を含むことを特徴とする液晶表示装置の駆動方法。
【発明の詳細な説明】
【技術分野】
【０００１】
本発明は液晶表示装置及びこの駆動方法に関し、より詳細には動映像を精密に具現するのに適切な液晶表示装置及びこの駆動方法に関するものである。
【背景技術】
【０００２】
一般に液晶表示装置は、文字、停止画像及び動映像をディスプレイする表示装置である。この具現のために、液晶表示装置は電界の強度によって光透過度が変更される液晶（Ｌｉｑｕｉｄ  Ｃｒｙｓｔａｌ  Ｄｉｓｐｌａｙ  ｄｅｖｉｃｅ）を微小面積単位で精密に制御する。
【０００３】
このような液晶表示装置は、透明な基板に微小面積を有するようにマトリックス形態に分割され、電源が供給される透明な画素電極、更に異なる透明な基板の全面積にかけて形成された透明な共通電極及びこの２つの電極の間に形成された液晶を基本的な構成要素として有する。
【０００４】
このような液晶表示装置は、共通電極に印加された電源をリファレンス電源とした状態で各画素電極に印加される電源の強度を精密に調節することによりディスプレイが行われる。この時、画素電極に印加される電源の強度は半導体薄膜工程により具現される薄膜トランジスタにより制御される。
【０００５】
薄膜トランジスタは、ゲート電極、ゲート電極と絶縁された状態でゲート電極の上面に形成されるチャンネル層、チャンネル層に電気的にショートされないように形成されたソース電極及びドレーン電極で構成される。
【０００６】
この際、前述した画素電極は薄膜トランジスタのドレーン電極と電気的に連結される。また、薄膜トランジスタのソース電極には画素電極に印加される電源が印加され、薄膜トランジスタのゲート電極には適切なタイミングに合わせてソース電極からドレーン電極にターンオンさせる電源が印加される。
【０００７】
この時、画素電極が単位面積当りどのぐらい稠密に形成されたかによって解像度が決定される。
【０００８】
例えば、単位有効ディスプレイ領域に８００×６００の解像度としてフルカラーディスプレイを行うためには、８００×６００×３個の画素電極、それぞれの画素電極に連結される薄膜トランジスタを必要とする。
【０００９】
図１は、従来の液晶表示装置の駆動方法を説明するための概念図である。
【００１０】
図１を参照すると、薄膜トランジスタ３０は、基板４０にマトリックス形態で形成された状態で任意の全ての行に属する全ての薄膜トランジスタのゲート電極は、ゲートライン１０により連結される。
【００１１】
一方、任意の全ての列に属する全ての薄膜トランジスタのソース電極はデータライン２０により連結される。
【００１２】
このような状態において、各画素電極に所望の電源を供給するためには、まず一番目データライン２０から最後のデータラインに至るまで所望の電源を印加する。
【００１３】
各データライン２０に電源を印加した状態で一番目ゲートライン１０は選択され、選択されたゲートライン１０にはしきい電圧Ｖｔｈ以上の電源が印加される。これにより、一番目データライン２０に連結された全ての薄膜トランジスタ３０は、ターンオンされる。薄膜トランジスタ３０がターンオンされるにつれて、ソース電極に印加された電源はドレーン電極を経由して画素電極に印加される。
【００１４】
これにより、画素電極と共通電極との間には電界が形成される。この時、電界により液晶が配列され始めて所定時間が経過した後には液晶の配列に従って光が液晶を通過する。この時、液晶を通過する光の光量は液晶の配列によって異なる。以後、液晶を通過した光は色画素を通過する。
【００１５】
このような過程は、ワンフレームの間に一番目ゲートラインから最後のゲートラインに至るまで連続的に行われる。
【００１６】
このようなフレームは１秒間に数十回が非常に速く行われることにより、ユーザは停止画像または動映像を認識することができる。
【００１７】
しかし、このような構成及び作動メカニズムを有する液晶表示装置は、動画像を精密に具現することが困難であるという短所を有する。
【００１８】
液晶表示装置が動映像を具現するためには、液晶の応答速度及び動作速度が動映像のフレーム数と同一であるか、速くなければならない。
【００１９】
この時、液晶の応答速度および動作速度が非常に遅い場合、動映像の具現が不可能である。特に、液晶の応答速度及び動作速度が遅い場合、液晶が充分に配列される時間が不足して画面の歪みまたは広がり現象が発生する。
【００２０】
最近には、液晶の応答速度及び動作速度が漸次改善され液晶による動映像具現の実現が可能になった。
【００２１】
しかし、液晶の応答速度及び動作速度の向上には限界があり、より精密な動映像をディスプレイするためにはフレーム周波数を現在より約２倍以上増加させなければならない。
【００２２】
この時、フレーム周波数を約２倍以上高めることは、現在のディスプレイに必要なフレーム周波数が６０Ｈｚとした時、ディスプレイに必要な周波数を１２０Ｈｚに増加させなければならないことを意味する。
【００２３】
しかし、このようにフレーム周波数が高くなる場合、ゲート電極に印加される駆動信号の印加時点、ソース電極に印加されるデータ駆動信号の印加時点およびその他タイミング信号などの駆動信号が全て変更されなければならず、これによりハードウェアの構成が変更されなければならない。
【００２４】
特に、フレーム周波数が高い場合、ワンフレームを行うのに所要される時間が急激に短縮され液晶の応答速度もより速くならなければならないので、前述した問題点を根本的に解決することができない。更に解像度が高くなるほど、動映像ディスプレイが困難であるという問題点を有する。
【００２５】
一方、液晶表示装置で動映像を具現するための第２の方法としては、ＣＲＴ方式ディスプレイ装置の駆動方法と同様に、一定時間の間画面をブラック（ｂｌａｃｋ）状態と作る方法がある。
【００２６】
図２は、従来の液晶表示装置が駆動される時、ワンフレーム内で光が供給されるのに割り当てられた時間を図示したグラフである。
【００２７】
図２を参照すると、例えば、液晶表示パネルがワンフレームの画像をディスプレイするのに所要される全体時間を１６.７ｍｓｅｃとした場合、全ての薄膜トランジスタは８ｍｓｅｃ以内に全てターンオンされ液晶が予め配列されるようにし、残りの８.７ｍｓｅｃ間にのみ光を供給することを意味する。
【００２８】
しかし、前述した方法は、ワンフレームが駆動される時間に全ての薄膜トランジスタをターンオンする時間及び光を供給する時間が含まれる。
【００２９】
このような方法は、液晶表示装置が大画面化されるほど、即ちターンオンされる薄膜トランジスタの数が増加されるほど、光が供給される時間はより短くなるので、結局には輝度が非常に減少してディスプレイ性能が低下する問題点を有する。
【発明の開示】
【発明が解決しようとする課題】
【００３０】
従って、本発明の第１目的は、非常に精密な動映像を高輝度で具現することができる液晶表示装置を提供することにある。
【００３１】
本発明の第２目的は、非常に精密な動映像を高輝度で具現することができる液晶表示装置の駆動方法を提供することにある。
【課題を解決するための手段】
【００３２】
このような本発明の第１目的を具現するための液晶表示装置は、ゲート電極、ソース電極及びドレーン電極を有する薄膜トランジスタ、前記ゲート電極に連結されたゲートライン及びソース電極に連結されたデータライン、前記ドレーン電極に形成された画素電極が形成されたＴＦＴ基板と、前記ＴＦＴ基板と対向するように設置され共通電極が形成されたカラーフィルター基板、前記ＴＦＴ基板及びカラーフィルター基板の間に介在される液晶を含む液晶表示パネル及び前記ゲートラインにゲート駆動信号、前記データラインにデータ駆動信号を印加する駆動印刷回路基板を含む液晶表示パネルアセンブリーであって、前記ゲートラインのうち、あるゲートラインにゲート駆動信号が印加されるかを検知してインバータ制御信号を発生させるシグナル同調部、前記インバータ制御信号の印加を受けてランプ駆動信号を発生させるインバータ、及び前記インバータの前記ランプ駆動信号に対応して点灯／消灯されるように、前記液晶表示パネルの下部に少なくとも２つ以上が並列方式で配列されたランプで構成されたバックライトアセンブリーとを含む。
【００３３】
又、本発明の第２目的を具現するための液晶表示装置の駆動方法は、まず複数個に分割された有効ディスプレイ領域の第１領域に属する薄膜トランジスタを全てターンオンした後、液晶が配列されるのに所要される液晶配列時間の間、前記第１領域の光供給を中断して、液晶配列時間が経過した後にはワンフレームが終了されるまで、第１領域に光を供給した後、分割された残りの有効ディスプレイ領域でランプの消灯及び点灯を順次反復して液晶表示装置のディスプレイ特性を向上及び動映像ディスプレイ特性を向上させることを特徴とする。
【００３４】
このような液晶表示装置及び駆動方法によると、有効ディスプレイ領域は、複数の領域に仮想分割される。このような状態で光はランプの第１領域に属する全ての薄膜トランジスタが全てターンオンされた後、液晶が完全に配列されるまでは供給されず、液晶が完全に配列された後に供給される。そして、ワンフレームが遂行されるまで他の領域に繰り返し光が供給される。従って、動映像をディスプレイする時に発生する画像の広がり及び歪みを防止することができ、輝度の低下を防止することができる。
【００３５】
このような液晶表示装置及び駆動方法によると、有効ディスプレイ領域は、少なくとも１つ以上のランプの数に対応されるように仮想分割される。そして、液晶表示パネルの特定の領域の全ての薄膜トランジスタがターンオンされた後、特定の領域の液晶が完全に配列された時、液晶表示パネルの特定の領域の液晶に光が印加される。しかし、液晶が完全に配列されるまでは光は供給されない。それ故に動映像をディスプレイする時に発生する画像の広がり及び歪みを防止することができ、輝度の低下を防止することができる。
【発明を実施するための最良の形態】
【００３６】
以下、本発明の一実施例による液晶表示装置及びこの駆動方法を添付図面を参照して説明する。
【００３７】
図３は、本発明の一実施例に係る液晶表示装置の概念図である。
【００３８】
図３を参照すると、本発明の一実施例に係る液晶表示装置５００は、所定の有効ディスプレイ面積を有し、液晶を微少面積単位に精密に制御する液晶表示パネルアセンブリー１００、液晶表示パネルアセンブリー１００の液晶を通過する光を供給するバックライトアセンブリー２００に区分される。
【００３９】
図４Ａは、本発明の一実施例に係る液晶表示パネルアセンブリーの概念図である。
【００４０】
図４Ａを参照すると、液晶表示パネルアセンブリー１００は、液晶表示パネル１１０、データ印刷回路基板１２０、ゲート印刷回路基板１３０、フレキシブルプリンティドサーキット（図示せず）で構成される。
【００４１】
液晶表示パネル１１０は、ＴＦＴ基板１０８、カラーフィルター基板１０９、液晶（図示せず）で構成される。
【００４２】
ＴＦＴ基板１０８は、透明な基板に薄膜トランジスタ１０７、信号印加線１０６,１０５及び画素電極で構成される。
【００４３】
薄膜トランジスタ１０７は、半導体薄膜工程により基板にマトリックス形態に形成される。
【００４４】
この時、薄膜トランジスタ１０７の数は解像度と関連がある。例えば、フルカラーディスプレイを行い、ディスプレイ解像度が８００×６００である場合、薄膜トランジスタは８００×６００×３個を必要とする。
【００４５】
このような薄膜トランジスタ１０７は、共通的にソース電極１０７ａ、ゲート電極１０７ｂ、ドレーン電極１０７ｃで構成されるように制作される。
【００４６】
このように基板は、薄膜トランジスタ１０７により多数の領域に区分され、区分されたそれぞれの領域に印加される電源を個別制御することができるようになる。
【００４７】
このように薄膜トランジスタ１０７を個別制御するために、マトリックス形態に配列された薄膜トランジスタ１０７の任意の全ての列に属する全ての薄膜トランジスタのソース電極１０７ａにはデータライン１０５が共通的に連結される。
【００４８】
一方、薄膜トランジスタ１０７を個別制御するためにマトリックス形態に配列された薄膜トランジスタ１０７の任意の全ての行に属する全ての薄膜トランジスタのゲート電極１０７ｂにはゲートライン１０６が共通的に連結される。
【００４９】
一方、全ての薄膜トランジスタ１０７の全てのドレーン電極１０７ｃには透明な画素電極が形成される。
【００５０】
このような構成を有するＴＦＴ基板１０８の上面には共通電極及びＲＧＢ色画素が形成されたカラーフィルター基板１０９がアラインされて組み立てられる。
【００５１】
ＴＦＴ基板１０８とカラーフィルター基板１０６との間には図示されていない液晶が注入され液晶表示パネル１１０が製作される。
【００５２】
このような構成を有する液晶表示パネル１１０から所望の映像がディスプレイされるようにするためには、薄膜トランジスタ１０７のソース電極に印加されるデータ及びゲート電極のターンオン時期が精密に制御されなければならない。
【００５３】
このために、各データライン１０５には指定された電源が全てのデータラインに印加されるデータを発生させるデータ印刷回路基板１２０がフレキシブルプリンティドサーキット（図示せず）を介して連結される。
【００５４】
また、各ゲートライン１０６には指定された時間に特定行に属する薄膜トランジスタ１０７をターンオンさせるターンオン電圧を発生させるゲート印刷回路基板１３０がフレキシブルプリンティドサーキット（図示せず）を介して連結される。
【００５５】
このような構成は、液晶を微小面積単位に個別配列することが可能であるが、単に液晶の配列を制御することで液晶表示パネルアセンブリー１００から映像をディスプレイすることはできない。
【００５６】
これは液晶表示パネルアセンブリー１００の液晶は、単に光の透過度のみを調節するだけ、おのずから光を発生することはできない受動素子（ｎｏｎ−ａｃｔｉｖｅ  ｄｅｖｉｃｅ）であるためである。
【００５７】
結局、液晶表示パネルアセンブリー１００からディスプレイが行われるようにするためには、光が必要であることを意味する。
【００５８】
図４Ｂは、本発明の一実施例に係るバックライトアセンブリーの概念図である。
【００５９】
図３または図４Ｂを参照すると、バックライトアセンブリー２００は、ランプ２１１、ランプ２１１に電源を供給するインバータ２２０、ランプ２１１で発生した光の輝度均一性を向上させる光均一性向上部材２３０、これらを収納する収納容器２４０及び液晶表示パネルの液晶が電界により配列される時間の間にのみ前記ランプ２１１から光が発生しないように制御するシグナル同調部２０８（ｓｉｇｎａｌ  ｓｙｎｃｈｒｏｎｉｓｍ  ｐａｒｔ）で構成される。
【００６０】
具体的に、液晶表示パネルアセンブリー１００を通じてディスプレイすることに適合な光は、太陽光のような自然光が用いられるか、電気的エネルギーを消耗して得られる人工光などである。
【００６１】
最近には、どの場所でもディスプレイを行うことができる長所のために人工光を用いたディスプレイが主流を成している。
【００６２】
一実施例として、人工光として、太陽光と類似な白色光が用いられ、寿命が長く、熱発散が少ない長所を有する冷陰極線管方式ランプが用いられる。
【００６３】
この時、冷陰極線管方式ランプ及び前述した液晶表示パネルアセンブリー１００の位置によって「エッジ方式（ｅｄｇｅ  ｔｙｐｅ）」または「直下方式」に分けられる。
【００６４】
エッジ方式は、主に携帯用パソコンのように冷陰極線管方式ランプが１つまたは２つが用いられるディスプレイ装置に適用される。このように、エッジ方式を用いる場合、液晶表示装置の全体厚さを最小化することができる長所を有する。
【００６５】
反面、直下方式は、大画面携帯用パソコンまたは大画面ディスプレイ装置に用いられ、少なくとも２つ以上のランプを使用する場合に適用される。
【００６６】
本発明では、一実施例として直下方式で設置されたランプ２１１が用いられる。この時、ランプ２１１は、液晶表示パネルアセンブリー１００の下部に相互０.５ｃｍ〜５ｃｍの間隔を形成するように並列方式に収納容器２４０に設置される。
【００６７】
本発明では、望ましい一実施例として６つのランプが並列方式に設置される。
【００６８】
以下、これをそれぞれ、第１ランプ２１１ａ、第２ランプ２１１ｂ、第３ランプ２１１ｃ、第４ランプ２１１ｄ、第５ランプ２１１ｅ、第６ランプ２１１ｆと定義することにする。
【００６９】
このように収納容器２４０に形成された複数個のランプ２１１ａ、２１１ｂ、２１１ｃ、２１１ｄ、２１１ｅ、２１１ｆは、１つのインバータ２２０に並列方式に連結され個別的に電源の供給を受ける。
【００７０】
一方、液晶表示パネルアセンブリー１００の下部に設置された各ランプと各ランプとの間に該当する液晶表示パネルアセンブリー１００で輝度均一性が低下しないようにランプ２１１ａ、２１１ｂ、２１１ｃ、２１１ｄ、２１１ｅ、２１１ｆと液晶表示パネルアセンブリー１００との間には光均一性向上部材２３０が設置される。
【００７１】
一実施例として、光均一性向上部材２３０は、光を拡散させて光の輝度均一性を向上させる拡散板である。
【００７２】
一方、液晶表示装置から精密な動映像をディスプレイするためには、バックライトアセンブリー２００のランプ２１１ａ、２１１ｂ、２１１ｃ、２１１ｄ、２１１ｅ、２１１ｆは独特に動作する。
【００７３】
具体的に、各ランプ２１１ａ、２１１ｂ、２１１ｃ、２１１ｄ、２１１ｅ、２１１ｆは、液晶表示パネル１００のゲートライン１０６のターンオン及びターンオフと連関して点灯または消灯される。
【００７４】
この時、各ランプ２１１ａ、２１１ｂ、２１１ｃ、２１１ｄ、２１１ｅ、２１１ｆの点灯または消灯は、ゲートラインのターンオン及びこれを感知してインバータ制御信号を発生させるシグナル同調部２０８及びインバータ制御信号により制御されてランプ２１１ａ、２１１ｂ、２１１ｃ、２１１ｄ、２１１ｅ、２１１ｆを制御することに必要なランプ駆動信号を発生させるインバータ２２０により具現される。
【００７５】
より具体的には、シグナル同調部２０８は、液晶表示装置の大きさを最小化するために、一実施例としてゲート印刷回路基板１３０に形成される。このようなシグナル同調部２０８は、現在液晶表示パネルに形成された複数個のゲートラインのうち、あるゲートライン１０６にターンオン電圧が印加されるかを検知してインバータ２２０を制御するためのインバータ制御信号を発生させる。
【００７６】
このインバータ制御信号は、複数個のランプのうち、あるランプが点灯／消灯されるかに関するデータ、消灯時間及び点灯時間などが含まれる。
【００７７】
インバータ制御信号はインバータ２２０に入力され、インバータ２２０はインバータ２２０に連結された複数個のランプ２１１ａ、２１１ｂ、２１１ｃ、２１１ｄ、２１１ｅ、２１１ｆのうち、該当ランプが点灯されるか、消灯されるように電源を供給する。
【００７８】
これをより具体的に説明する。
【００７９】
図５は、本発明の一実施例によって液晶表示パネルアセンブリーの第１領域に属する全ての薄膜トランジスタがターンオンされた状態で第１領域に属する液晶が完全に配列される前までランプが消灯されたことを図示した概念図である。
【００８０】
図５を参照すると、液晶表示パネル１１０はランプ２１１ａ、２１１ｂ、２１１ｃ、２１１ｄ、２１１ｅ、２１１ｆの数に対応して複数個の領域に分けられる。
【００８１】
本発明では前述したように、一実施例として６つのランプが使用されることにより液晶表示パネル１１０も６つの領域に分けられる。
【００８２】
以下、この領域を第１領域１１０ａ、第２領域１１０ｂ、第３領域１１０ｃ、第４領域１１０ｄ、第５領域１１０ｅ及び第６領域１１０ｆと定義することにする。
【００８３】
より具体的には、図４Ａに図示されたように、ディスプレイは全てのデータライン１０５にデータが印加され、ゲートライン１０６にターンオン電圧が第１領域１１０ａのスタート支点から第６領域１１０ｆの最後支店まで順次印加されることにより行われる。
【００８４】
以下、このような駆動方式を「ライン駆動方式」と定義することにする。
【００８５】
この時、液晶表示パネル１００が動映像を精密に行うためには、まずゲート駆動シグナルが、第１領域１１０ａに割り当てられる一番目ゲートラインから第１領域１１０ａに割り当てられる最後のゲートラインまで全て順に印加されるようにする。
【００８６】
この時、第１領域１１０ａの最後のゲートラインがターンオンされたことがシグナル同調部２０８により感知されると、シグナル同調部２０８はインバータ２２０へ第１領域１１０ａの下部に位置した第１ランプ２１１ａと関連されたインバータ制御信号を送信する。
【００８７】
インバータ２２０は、シグナル同調部２０８で発生されたインバータ制御信号の印加を受けて、第１領域１１０ａに属する液晶が完全に配列されることに必要な時間ほど第１ランプ２１１ａが消灯されるように電源供給を遮断する。
【００８８】
この時、第１ランプ２１１ａが消灯される時間は、液晶が配列されることに必要な時間が非常に短時間であるので、ユーザはこれを認識することができない。
【００８９】
以後、第１領域１１０ａに属する液晶が完全に配列されると、インバータ２２０は、消灯された第１ランプ２１１ａに電源を供給して点灯させた後、ワンフレームが終了されるまで第１ランプ２１１ａが点灯状態を維持するようにする。
【００９０】
図６は、本発明の一実施例によって液晶表示パネルアセンブリーの第２領域に属する全ての薄膜トランジスタがターンオンされた状態で第１領域ではランプが点灯され、第２領域ではランプが消灯されたことを図示した概念図である。
【００９１】
図６を参照すると、インバータ２２０により第１ランプ２１１ａが消灯されてから点灯されるまで所要される時間の間、第２領域１１０ｂに割り当てられたゲートライン１０６は第１ランプ２１１ａから最後のランプ２１１ａまで順次ターンオンされている状態である。
【００９２】
第２領域１１０ｂに割り当てられた最後のゲートラインがターンオンされると、シグナル同調部２０８により発生されたまた異なるインバータ制御信号は、更にインバータ２２０に印加され、インバータ２２０は第２領域１１０ｂに位置した第２ランプ２１１ｂに、液晶が完全に配列されることに所要される時間の間、第２ランプ２１１ｂが消灯されるように電源を遮断する。
【００９３】
以後、第２領域１１０ｂで液晶が完全に配列されると、インバータ２２０は第２ランプ２１１ｂに電源を供給して点灯されるようにし、ワンフレームが終了されるまで点灯状態が維持されるようにする。
【００９４】
以後、図７乃至図１１に図示されたように、第３領域１１０ｃから第６領域１１０ｆに至るまで、前記第１領域１１０ａ及び第２領域１１０ｂと同様のプロセスが行われ、映像のワンフレームが表示される。
【００９５】
このような過程は、１秒当り約６０回、即ち６０Ｈｚに反復される。
【００９６】
このような方式、即ち液晶が完全に配列されない部分でランプを消灯する方式は、従来のようにワンフレームに属する全てのゲートラインを全てターンオンさせた後、ランプを点灯する方式で現れる問題点であるフレーム駆動周波数を高める必要がなく、点灯時間が短くなるにつれて発生する輝度低下も防止することができる。
【００９７】
図１２は、液晶表示装置のワンフレームがディスプレイされる時、ワンフレーム内で光が供給されるのに割り当てられた時間を図示したグラフである。
【００９８】
図１２を参照すると、光供給時間は、図２に図示された従来のグラフと比較して非常に向上される。これは、光供給時間が増加されるにつれて輝度が向上されたことを意味し、これによりディスプレイ特性が向上される。
【産業上の利用可能性】
【００９９】
以上で詳細に説明したように、有効ディスプレイ領域を少なくとも１つ以上のランプの個数ほど仮想分割した状態でランプの第１領域に属する全ての薄膜トランジスタがすべてターンオンされた後液晶が完全に配列される時までは、光を供給せず、液晶が完全に配列された後、光を供給することにより動画像をディスプレイする時に発生する画像の広がり及び画像の歪みを防止し、ディスプレイに必須的な輝度が低下することを防止する効果を有する。
【図面の簡単な説明】
【０１００】
【図１】従来の液晶表示装置の駆動方法を説明するための概念図である。
【図２】従来の液晶表示装置が駆動される時、ワンフレーム内で光が供給されることに割り当てられた時間を図示したグラフである。
【図３】本発明の一実施例に係る液晶表示装置のブロック図である。
【図４Ａ】本発明の一実施例に係る液晶表示装置の平面図である。
【図４Ｂ】本発明の一実施例に係るバックライトアセンブリーを図示した概念図である。
【図５】本発明の一実施例によって液晶表示パネルアセンブリーの第１領域に属する全ての薄膜トランジスタがターンオンされた状態で第１領域に属する液晶が完全に配列される前までランプがターンオンされたことを図示した概念図である。
【図６】本発明の一実施例によって液晶表示パネルアセンブリーの第２領域に属する全ての薄膜トランジスタがターンオンされた状態で第１領域にはランプが点灯され、第２領域にはランプがターンオンされたことを図示した概念図である。
【図７】本発明の一実施例によって液晶表示パネルアセンブリーの第３領域乃至第６領域に属する全ての薄膜トランジスタが順次ターンオンされた状態で第６領域のランプまでもターンオンされワンフレームのディスプレイが成されたことを図示した概念図である。
【図８】本発明の一実施例によって液晶表示パネルアセンブリーの第３領域乃至第６領域に属する全ての薄膜トランジスタが順次ターンオンされた状態で第６領域のランプまでもターンオンされワンフレームのディスプレイが成されたことを図示した概念図である。
【図９】本発明の一実施例によって液晶表示パネルアセンブリーの第３領域乃至第６領域に属する全ての薄膜トランジスタが順次ターンオンされた状態で第６領域のランプまでもターンオンされワンフレームのディスプレイが成されたことを図示した概念図である。
【図１０】本発明の一実施例によって液晶表示パネルアセンブリーの第３領域乃至第６領域に属する全ての薄膜トランジスタが順次ターンオンされた状態で第６領域のランプまでもターンオンされワンフレームのディスプレイが成されたことを図示した概念図である。
【図１１】本発明の一実施例によって液晶表示パネルアセンブリーの第３領域乃至第６領域に属する全ての薄膜トランジスタが順次ターンオンされた状態で第６領域のランプまでもターンオンされワンフレームのディスプレイが成されたことを図示した概念図である。
【図１２】本発明の一実施例によって液晶表示装置が駆動される時、ワンフレーム内で光が供給されることに割り当てられた時間を図示したグラフである。
【符号の説明】
【０１０１】
１０    ゲートライン
２０    データライン
３０    薄膜トランジスタ
４０    基板
１００    液晶表示パネルアセンブリー
１０８    ＴＦＴ基板
１１０    液晶表示パネル
１２０    データ印刷回路基板
１３０    ゲート印刷回路基板
２００    バックライトアセンブリー
２１１    ランプ
２２０    インバータ
２４０    収納容器
５００    液晶表示装置
【図１】
2005501291.tif 000003
【図２】
2005501291.tif 000004
【図３】
2005501291.tif 000005
【図４Ａ】
2005501291.tif 000006
【図４Ｂ】
2005501291.tif 000007
【図５】
2005501291.tif 000008
【図６】
2005501291.tif 000009
【図７】
2005501291.tif 000010
【図８】
2005501291.tif 000011
【図９】
2005501291.tif 000012
【図１０】
2005501291.tif 000013
【図１１】
2005501291.tif 000014
【図１２】
2005501291.tif 000015
【国際公開パンフレット】
2005501291.tif 000016
2005501291.tif 000017
2005501291.tif 000018
2005501291.tif 000019
2005501291.tif 000020
2005501291.tif 000021
2005501291.tif 000022
2005501291.tif 000023
2005501291.tif 000024
2005501291.tif 000025
2005501291.tif 000026
2005501291.tif 000027
2005501291.tif 000028
2005501291.tif 000029
2005501291.tif 000030
2005501291.tif 000031
2005501291.tif 000032
2005501291.tif 000033
2005501291.tif 000034
2005501291.tif 000035
2005501291.tif 000036
2005501291.tif 000037
2005501291.tif 000038
2005501291.tif 000039
2005501291.tif 000040
2005501291.tif 000041
2005501291.tif 000042
2005501291.tif 000043
2005501291.tif 000044
2005501291.tif 000045
2005501291.tif 000046
2005501291.tif 000047
2005501291.tif 000048
【国際公開パンフレット（コレクトバージョン）】
2005501291.tif 000049
【国際調査報告】
2005501291.tif 000050
2005501291.tif 000051